(57)【特許請求の範囲】
【請求項１】
ＣＰＵやメモリーを備えたコンピュータ本体を交換可能に搭載したワゴンと、
当該ワゴンの表面に配置され、前記コンピュータ本体からのケーブルが統合して接続された１つのワゴン側コネクターと、
少なくともディスプレイ、キーボード、及び電源が配置された机と、
当該机に配置され、前記少なくともディスプレイ、キーボード、及び電源からのケーブルが統合して接続された１つの机側コネクターと、を具備し、
前記机に前記ワゴンを連結させて、前記１つの机側コネクターに前記１つのワゴン側コネクターを嵌合させ、これにより、前記ワゴンに搭載されたコンピュータ本体と、前記机に配置された少なくともディスプレイ、キーボード、及び電源とを、ワンタッチで接続することを特徴とするコンピュータ端末の交換用コネクター装置。
【請求項２】
前記机には、周辺機器、又はネットワーク用配線が配置され、これら周辺機器、又はネットワーク用配線からのケーブルが前記机側コネクターに統合して接続されていることを特徴とする請求項１に記載のコンピュータ端末の交換用コネクター装置。
【請求項３】
前記机に前記ワゴンを連結させて、前記机側コネクターに前記ワゴン側コネクターを嵌合させる際に、前記机に対して、前記ワゴンを案内するガイド機構が設けられていることを特徴とする請求項１又は２に記載のコンピュータ端末の交換用コネクター装置。
【請求項４】
前記机に前記ワゴンを連結させて、前記机側コネクターに前記ワゴン側コネクターを嵌合させ、当該連結が完了した際に、前記机に対して、前記ワゴンをロックするためのロック機構が設けられており、
当該ロック機構が、前記机側コネクターが有するロック用開口部に前記ワゴン側コネクターが有するロック爪をレバー操作により係合させることで、前記机側コネクターに前記ワゴン側コネクターを嵌合させることを特徴とする請求項１乃至３のいずれか１項に記載のコンピュータ端末の交換用コネクター装置。
【発明の詳細な説明】
【技術分野】
【０００１】
本発明は、コンピュータ端末の本体と、ディスプレイ、キーボード、電源、その他のディバイスとを、ワンタッチで接続し、新・旧式のコンピュータ端末を併設して、その交換を行うことができるコンピュータ端末の交換用コネクター装置に関する。
【背景技術】
【０００２】
パーソナルコンピュータ等のコンピュータ端末では、ＣＰＵやメモリー等を備えたコンピュータ本体に対して、各々のケーブルを介して、ディスプレイ、キーボード、電源、その他、プリンター等の周辺機器、ＬＡＮ等のネットワーク用配線が接続してある。
【０００３】
従って、コンピュータ本体を新規なものに交換するような場合には、コンピュータ本体に接続してあるディスプレイ用ケーブル、キーボード用ケーブル、電源コードなど多数のケーブルを一旦外して、再接続する必要があり、その作用が非常に煩雑である。
【０００４】
また、旧式のコンピュータ端末に代えて、新式のコンピュータ端末を導入する場合、上述したケーブルの取外しや再接続の作業が必要になるが、加えて、旧式のコンピュータ端末を残存して使用しなければならない場合があり、新・旧式のコンピュータ端末を併設しておくことが必要な場合がある。
【０００５】
具体例としては、金融業務用窓口端末機においては、この端末機に接続される周辺機器を含むケーブルは、多種多様であるため、それら周辺機器を正確に接続することが、大変困難な作業となっている。
【発明の開示】
【発明が解決しようとする課題】
【０００６】
金融業務用窓口端末機の更改においては、全営業店に事前(移行日より約半年前)に現行(旧式)の端末機と共に、新式の端末機を併設設置する必要がある。これは、新式の端末機の疎通確認、負荷テスト、在店研修及び移行リハーサルを、全営業店にて実施し、移行リスクを軽減する目的である。
【０００７】
前述のように、新・旧式の両方の端末機を同時に併設設置する金融業務用窓口端末機の移行では、各営業店の経済的負担も大き<、また、設置スペースも必要となる。
さらに、移行期間のためだけに新式の端末機用の電源の確保、ネットワークに接続するための配線工事など、一時的な付帯設備が必要となる。
【０００８】
従って、新式の金融業務用窓口端末機に接続される周辺機器等のケーブルを、ワンタッチで接続することができれば、現行（旧式）の端末機の設置環境(場所、机、電源、ネットワーク)及び周辺機器を新金融業務用端末機でも共用可能となり、前述の欠点を解決することができる。
【０００９】
本発明は、上述したような事情に鑑みてなされたものであって、コンピュータ端末の本体と、ディスプレイ、キーボード、電源、その他のディバイスとを、ワンタッチで接続することができ、これにより、コンピュータ端末の本体を確実に容易に交換することができると共に、新・旧式のコンピュータ端末を併設して、その交換を容易に行うことができる、コンピュータ端末の交換用コネクター装置を提供することを目的とする。
【課題を解決するための手段】
【００１０】
上述した目的を達成するため、本発明に係コンピュータ端末の交換用コネクター装置は、
ＣＰＵやメモリーを備えたコンピュータ本体を搭載した移動体と、
当該移動体に配置され、前記コンピュータ本体からのケーブルが接続された移動側コネクターと、
少なくともディスプレイ、キーボード、及び電源が配置された固定体と、
当該固定体に配置され、前記少なくともディスプレイ、キーボード、及び電源からのケーブルが接続された固定側コネクターと、を具備し、
前記固定体に対して、前記移動体を近づけて、前記固定側コネクターに前記移動側コネクターを連結し、これにより、前記コンピュータ本体と、前記少なくともディスプレイ、キーボード、及び電源とを、ワンタッチで接続することを特徴とする。
【００１１】
また、本発明では、前記固定体には、周辺機器、又はネットワーク用配線が配置され、これら周辺機器、又はネットワーク用配線からのケーブルが前記固定側コネクターに接続されていることを特徴とする。
【００１２】
さらに、本発明では、前記固定体に対して前記移動体を近づけて、前記固定側コネクターに前記移動側コネクターを連結する際、前記固定体に対して、前記移動体を案内するガイド機構が設けられていることを特徴とする。
【００１３】
さらに、本発明では、前記固定体に対して前記移動体を近づけ、前記固定側コネクターに前記移動側コネクターを連結して、当該連結が完了した際、前記固定体に対して、前記移動体をロックするロック機構が設けられていることを特徴とする。
【発明の効果】
【００１４】
このように、本発明によれば、コンピュータ端末の本体と、ディスプレイ、キーボード、電源、その他のディバイスとを、ワンタッチで接続することができ、これにより、コンピュータ端末の本体を確実に容易に交換することができると共に、新・旧式のコンピュータ端末を併設して、その交換を容易に行うことができる。
【００１５】
また、ワンタッチで簡単に金融業務用窓口端末機に周辺機器が接続できれば、併設設置用の新式の金融業務用窓口端末機を、必要なときに、現行（旧式）の端末機の設置環境に持ち運び、接続することにより、新金融業務用窓口端末機の設置スペース、専用電源、専用配線の確保が不要となる。
【００１６】
さらに、現行（旧式）の金融業務用窓口端末機の設置環境にある接続される周辺機器のケーブル、ネットワーク用の配線、電源をひとつのコネクターに統合する。また、新式の金融業務用窓口端末機側にも、接続する周辺機器のケーブル、ネットワーク用の配線、電源をひとつのコネクターに統合する。そして、必要に応じ、別場所に保管されていたワンタッチのコネクター付きの新金融業務用窓口端末機を、現行（旧式）の金融業務用窓口端末機の設置環境に運び、コネクター同士を接続する事により、新式の金融業務用窓口端末機の利用が自在となる。
【発明を実施するための最良の形態】
【００１７】
以下、本発明に係るコンピュータ端末の交換用コネクター装置を、図面を参照しつつ説明する。
図１は、本発明の実施の形態に係るコンピュータ端末の交換用コネクター装置の概念図である。
【００１８】
図２は、本発明の実施の形態に係るコンピュータ端末の交換用コネクター装置の模式的斜視図である。
机１０（固定体）には、ディスプレイ１１、キーボード１２、電源１３、その他、プリンター等の周辺機器１４、及びＬＡＮ等のネットワーク用配線１５が設けてある。この机側コネクター１６には、これらディスプレイ１１、キーボード１２、電源１３、周辺機器１４、及びネットワーク用配線１５からのケーブルが接続してある。
【００１９】
キャスター付きのワゴン２０（移動体）には、ＣＰＵやメモリーを備えたコンピュータ本体２１が設けてある。ワゴン側コネクター２２には、コンピュータ本体２１からのケーブルが接続してある。
【００２０】
これにより、大略的には、机１０に対して、ワゴン２０を近づけて、机側コネクター１６にワゴン側コネクター２２を連結し、これにより、コンピュータ本体２１と、ディスプレイ１１、キーボード１２、電源１３、周辺機器１４、及びネットワーク用配線１５とを、ワンタッチで接続することができる。
【００２１】
図３は、机側コネクターとワゴン側コネクターとの斜視図である。
机側コネクター１６には、その裏側にディスプレイ１１、キーボード１２、電源１３、周辺機器１４、及びネットワーク用配線１５からのケーブルが統合して接続されたエッジ型コネクターの雌型３１が設けてある。
【００２２】
この雌型３１の側方には、後述するロック機構用の開口３２が設けてある。さらに、机側コネクター１６の上側と下側には、それぞれ、ガイド用の一対の雌ガイド３３が設けてある。
【００２３】
一方、ワゴン側コネクター２２には、その裏側にコンピュータ本体２１からのケーブルが統合して接続されたエッジ型コネクターの雄型４１が設けてある。
この雄型４１の側方には、後述するロック機構用の開口４２が設けてある。さらに、ワゴン側コネクター２２の上側と下側には、それぞれ、机側コネクター１６の一対の雌ガイド３３に挿入するためのガイド用の一対の雄ガイド４３が設けてある。
【００２４】
図４（ａ）は、本発明の実施の形態に係るコンピュータ端末の交換用コネクター装置のドッキング時の斜視図であり、（ｂ）は、そのドッキング後のロック時の斜視図である。
図５（ａ）は、本発明の実施の形態に係るコンピュータ端末の交換用コネクター装置の机側コネクターのドッキング時の斜視図であり、（ｂ）は、そのドッキング後のロック時の斜視図である。
【００２５】
ワゴン２０の側方には、切欠き部が形成してあり、この切欠き部に、ロック機構５０（トグルクランプ機構）が配置してある。
このロック機構は、取付本体５１に揺動自在に設けたロック爪５２と、このロック爪５２を操作するためのレバー５３とからなる。
【００２６】
さらに、ワゴン２０を机１０の左内側に這わせるように奥へ押し込むと、一対のガイドローラー６０が机１０側の下部に取り付けられているガイドレール６１を捉え、横方向の位置を規制しながら所定位置に到達するように構成されている。より具体的には、一対のガイドローラー６０の間に、ガイドレール６１の下側の軸条６２が係合するようになっている。
【００２７】
以上のように構成したンピュータ端末の交換用コネクター装置では、以下の手順によりドッキングされる。
机１０とワゴン２０の高さは、あらかじめレベラー（机の脚）などにて近しい位置に合わせておく。
【００２８】
ワゴン２０をガイドレール６１にガイドローラー６０従わせ所定の位置まで押し込む。所定の位置直前に差し掛かると、ワゴン２０の雄ガイド４３が雌ガイド３３を捉える。
さらにワゴン２０を押し込むと、雄ガイド４３と雌ガイド３３がそれぞれの装置の上下左右方向の位置決めをする。この時、ワゴン側コネクター２２は、高さ・左右方向のずれを修正できるように、上下・左右に対しある程度位置が自由になっている。
【００２９】
当初、レバー５３は、図５（ａ）に実線で示す第１段階位置にある。レバー５３を図５（ａ）に仮想線で示す第２段階位置に揺動すると、略垂直状態にあったロック爪５２は、机側コネクター１６のロック用開口３２の下縁に係合するように回動し、これにより、仮ロック状態となる。
【００３０】
次いで、レバー５３を図５（ｂ）に実線で示す第３段階位置に揺動すると、ロック爪５２は、机１０側から離れる方向に所定距離だけ移動する一方、相対的に、ロック機構５０の取付本体５１のワゴン側コネクター２２は、机側コネクター１６に所定距離だけ引き付けられ、これにより、エッジ型コネクターの雌型３１に対して、エッジ型コネクターの雄型４１が嵌合して接続される。
【００３１】
机側コネクター１６は、その構造上所定の距離以上に移動しないので、ワゴン２０と机１０が連結してロック状態で固定されている。
次いで、ドッキングを解除する場合には、レバー５３を、図５（ｂ）に実線で示す第３段階位置から仮想線で示す第２段階位置に移動すると、ロック爪５２は、机１０に近づく方向に所定距離だけ移動する。
【００３２】
このとき、ワゴン側コネクター２２は、ロック爪５２に押されて、エッジ型コネクターの雌型３１に対するエッジ型コネクターの雄型４１の嵌合が解除される。
レバー５３を図５（ａ）に実線で示す第１段階位置に揺動することにより、ロック爪５２は、略垂直状態となり、ワゴン２０と机１０の連結は、全く解消される。
【００３３】
以上、本実施の形態によれば、コンピュータ本体２１と、ディスプレイ１１、キーボード１２、電源１３、その他のディバイスとを、ワンタッチで接続することができ、これにより、コンピュータ端末の本体を確実に容易に交換することができると共に、新・旧式のコンピュータ端末を併設して、その交換を容易に行うことができる。
【００３４】
なお、本発明は、上述した実施の形態に限定されず、種々変形可能である。
【図面の簡単な説明】
【００３５】
【図１】本発明の実施の形態に係るコンピュータ端末の交換用コネクター装置の概念図である。
【図２】本発明の実施の形態に係るコンピュータ端末の交換用コネクター装置の模式的斜視図である。
【図３】机側コネクターとワゴン側コネクターとの斜視図である。
【図４】（ａ）は、本発明の実施の形態に係るコンピュータ端末の交換用コネクター装置のドッキング時の斜視図であり、（ｂ）は、そのドッキング後のロック時の斜視図である。
【図５】（ａ）は、本発明の実施の形態に係るコンピュータ端末の交換用コネクター装置の机側コネクターのドッキング時の斜視図であり、（ｂ）は、そのドッキング後のロック時の斜視図である。
【符号の説明】
【００３６】
１０  机（固定体）
１１  ディスプレイ
１２  キーボード
１３  電源
１４  周辺機器
１５  ネットワーク用配線
１６  机側コネクター
２０  ワゴン（移動体）
２１  コンピュータ本体
２２  ワゴン側コネクター
３３  雌ガイド
４３  雄ガイド
５０  ロック機構
６０  ガイドローラー
６１  ガイドレール
【図１】
0005073438.tif 000002
【図２】
0005073438.tif 000003
【図３】
0005073438.tif 000004
【図４】
0005073438.tif 000005
【図５】
0005073438.tif 000006